(57)【要約】  【課題】  開閉角度を自在に調節可能にするとともに、シール等を差し替え自在に貼着しておくことで、所有者独自のオリジナリティを備えるようにする。  【解決手段】  下面に剥離紙に覆われた両面テープが貼着され上面に鏡板が接着された本体１と、下面に鏡板が接着され上面に紙類等が貼着された蓋体２と、蓋体２の紙類等の上面に貼着されたレンズ１１と、本体１の一端と蓋体２の一端に形成されて蓋体２を本体１に対して開閉自在に軸着したヒンジ部３と、本体１の他端と蓋体２の他端に形成されて蓋体２が閉じられた状態で一方の爪２ｃが他方の段部１ｃに係脱自在に係合される係止部とを備える。また、ヒンジ部３の本体１側と蓋体２側の間に蓋体２を開方向に付勢するトーションばね６を装着する。同様に、ヒンジ部３の本体１側と蓋体２側の間に蓋体２の開閉角度を段階的に保持するクリック機構を装着する。【選択図】  図１
0003107752.tif 000002
【実用新案登録請求の範囲】
【請求項１】
下面に剥離紙に覆われた両面テープが貼着され上面に鏡板が接着された本体と、
該本体と略同形であって下面に鏡板が接着され上面に紙類等が貼着された蓋体と、
該蓋体の紙類等の上面に貼着されたレンズと、
前記本体の一端と前記蓋体の一端に形成されて前記蓋体を前記本体に対して開閉自在に軸着したヒンジ部と、
前記本体の他端と前記蓋体の他端に形成されて前記蓋体が閉じられた状態で一方の爪が他方の爪受部に係脱自在に係合される係止部と、
を備えたことを特徴とする携帯電話取付用ミラー。
【請求項２】
請求項１に記載の携帯電話取付用ミラーにおいて、
前記ヒンジ部の本体側と蓋体側の間に装着されて蓋体を開方向に付勢するトーションばねを備えたことを特徴とする携帯電話取付用ミラー。
【請求項３】
請求項１または２に記載の携帯電話取付用ミラーにおいて、
前記ヒンジ部の本体側と蓋体側の間に装着されて蓋体の開閉角度を段階的に保持するクリック機構を備えたことを特徴とする携帯電話取付用ミラー。
【請求項４】
請求項３に記載の携帯電話取付用ミラーにおいて、
前記クリック機構は、前記ヒンジ部の軸方向と直交する面で互いに対向する本体側と蓋体側の間に、円周方向適間隔に複数孔が形成された金具と、前記孔に対応する位置に１個の突起が形成された金具を互いに当接させて保持し、一方の前記金具を他方の前記金具側に押圧付勢したことを特徴とする携帯電話取付用ミラー。
【請求項５】
請求項１乃至４のいずれかに記載の携帯電話取付用ミラーにおいて、
前記レンズは凸レンズおよび凹レンズ乃至ダイヤモンドカット状の透明多面体のいずれかであることを特徴とした携帯電話取付用ミラー。
【請求項６】
請求項１乃至５のいずれかに記載の携帯電話取付用ミラーにおいて、
前記蓋体上面に貼着される紙類等として裏面に糊を塗布した写真等からなるシールを用いたことを特徴とする携帯電話取付用ミラー。
【考案の詳細な説明】
【技術分野】
【０００１】
本考案は、携帯電話の表面に貼着しておいて、コンパクトの代わりに自分の顔を見ることのできる携帯電話取付用ミラーに関し、詳しくはミラー表面に写真等のシールを差し替え自在に貼着することで、他人の所有する携帯電話と差別化して所有者独自のオリジナリティを有する携帯電話とすることが可能な携帯電話取付用ミラーに関する。
【背景技術】
【０００２】
本出願人は、既に、特許文献１に記載の携帯電話用鏡を提案している。これは携帯電話の裏面に、開閉式の鏡を取り付けたものであり、外出時でも、必要なときは、携帯電話を取り出してコンパクトの代わりに使用することが可能である。また、蓋には、キャラクターや絵柄等をプリントしておくことで、単純な形状をした携帯電話を興趣あるグッヅとすることができた。
【特許文献１】実用新案登録第３０９４４５５号公報
【考案の開示】
【考案が解決しようとする課題】
【０００３】
ところで、上述した携帯電話用鏡は、使用上は便利であり有用なものである。しかしながら、蓋部分にプリントされる絵柄は、いくつかの絵柄が用意されており、購入者が好みのものを選択できるようにしているものの、いずれも大量生産されて販売されているため、多くの他人が自分と同一の絵柄の携帯電話用鏡を持っていることになる。すなわち、携帯電話用鏡を購入して、自分の携帯電話に取り付けたとしても、それが自分一人だけのオリジナリティを有するものではなく、物足りない思いを抱く場合があった。そこで、本考案は、携帯電話に取り付ける鏡にも、他人と異なるキャラクターや絵柄を任意に差し替え可能にして、所有者だけのオリジナリティを有することを可能にした携帯電話取付用ミラーを提案することを目的とした。
【課題を解決するための手段】
【０００４】
上記課題を解決するために、本考案は、下面に剥離紙に覆われた両面テープが貼着され上面に鏡板が接着された本体と、該本体と略同形であって下面に鏡板が接着され上面に紙類等が貼着された蓋体と、該蓋体の紙類等の上面に貼着されたレンズと、前記本体の一端と前記蓋体の一端に形成されて前記蓋体を前記本体に対して開閉自在に軸着したヒンジ部と、前記本体の他端と前記蓋体の他端に形成されて前記蓋体が閉じられた状態で一方の爪が他方の爪受部に係脱自在に係合される係止部とを備えたことを特徴とする。
また、前記ヒンジ部の本体側と蓋体側の間に蓋体を開方向に付勢するトーションばねを装着することが好ましい。
同様に、前記ヒンジ部の本体側と蓋体側の間に蓋体の開閉角度を段階的に保持するクリック機構を装着することが好ましい。
なお、前記クリック機構は、前記ヒンジ部の軸方向と直交する面で互いに対向する本体側と蓋体側の間に、円周方向適間隔に複数孔が形成された金具と、前記孔に対応する位置に１個の突起が形成された金具を互いに当接させて保持し、一方の前記金具を他方の前記金具側に押圧付勢して構成することが可能である。
また、前記レンズとしては、凸レンズ、凹レンズ、ダイヤモンドカット状の透明多面体を用いることが可能である。
さらに、前記蓋体上面に貼着される紙類等として裏面に糊を塗布した写真等からなるシールを用いることも可能である。
【考案の効果】
【０００５】
以上述べたように本考案によれば、本体下面の剥離紙を剥がして携帯電話の表面に押圧することで本体が携帯電話に取り付けられる。鏡面を使用する場合は蓋体を開けて任意の角度に調節してコンパクトとして使用することが可能となる。鏡面の不使用時は蓋体を閉じておくことで携帯電話の使用を妨げることがなく、また蓋体のレンズの下面に好みの写真やキャラクターの絵等を差し替え自在に貼着しておくことで、興趣に富んでしかも所有者だけのオリジナリティを有する携帯電話にすることが可能となる。
【考案を実施するための最良の形態】
【０００６】
以下、図に基づいて本考案の実施形態を説明する。
図１は本考案に係る携帯電話取付用ミラーの閉じられた状態の外観を示す平面図および正面図、右側面図、背面図であり、図２は同じく底面図であり、図３は蓋体の開閉範囲を示す側面図である。携帯電話取付用ミラーは、図示されるように、本体１と蓋体２が、後端のヒンジ部３で軸着されている。本体１および蓋体２は、ポリカーボネート、アクリル、ＡＢＳ等により成形されている。
【０００７】
ヒンジ部３は、左右両側に本体１から突設された軸孔部１ａ，１ｂと、中央部分に蓋体２から突設された軸孔部２ａ，２ｂとの間に、ピン４，５が嵌着されて構成されるとともに、軸孔部１ａと軸孔部２ａの間のピン４の外側に、図４に示されるトーションばね６が装着されて、蓋体２が本体１に対して、開方向に付勢されている。同様に、軸孔部１ｂと軸孔部２ｂの間のピン５の外側には、図５および図６に示される凹金具７と凸金具８が対向して装着されて、蓋体２が本体１に対して４段階の保持位置でクリック動作を伴いながら停止されるクリック機構（ラチェット機構）が構成される。凹金具７には、右の閉じた位置から円周方向に順に９０度、３５度、３５度の位置に係止孔７ａが形成されている。
【０００８】
これに対して凸金具８には、凹金具７の係止孔７ａに対応する半径位置に、半球状の突起８ａが形成されており、係止孔７ａに突起８ａが摺動しながら嵌合することで、図３に示されるように、蓋体２は、閉じられた状態から本体１に対して、９０度、１２５度、１６０度の位置で、クリック動作を伴いながら停止してその位置に保持される。通常の使用の場合は、蓋体２が閉じられた状態から開放されると、トーションばね６のばね力により、１６０度の位置まで一気に開放され、そのあと、閉じる方向に蓋体２を押すことで、順に、１２５度、９０度、０度の位置に段階的に、クリック動作を伴いながら停止してその位置に保持される。
【０００９】
また、本体１と蓋体２の前端には、蓋体２が閉じられた状態を保持するための係合部が形成されている。すなわち、図７に示されるように、本体１の前端を半円状に後退させて、その後退部の上部に一段突出した段部１ｃ（爪受部）を形成する。その段部１ｃに対応する蓋体２の前端下面に、爪２ｃを突設しておく。それにより、蓋体２が閉じられたとき、爪２ｃが段部１ｃに係合して、蓋体２を閉じた状態に保持し、蓋体２が不用意に開かれることを防止する。なお、蓋体２が閉じられた状態は、前述の凹金具７と凸金具８とが嵌合することにもより保持される。また、蓋体２を開く場合は、蓋体２の突端２ｄに指をかけて上に押すことで、爪２ｃが段部１ｃから外れ、蓋体２の開放が可能になる。
【００１０】
次に、本体１と蓋体２のそれぞれ上下の面の構造および機能について説明する。先ず、本体１の下面には、略全面に両面テープが貼着されており、出荷段階では、その両面テープ表面に剥離紙が貼付されており、ユーザーがその剥離紙を剥がして、携帯電話の表面に押しつけることで、本体１すなわち携帯電話取付用ミラーが携帯電話に取り付けられる。本体１の上面と蓋体２の下面には、それぞれ一段低い凹部が形成されて、その凹部内に、０．５ｍｍ程度の薄いアクリル板の表面に金属膜を蒸着して形成された鏡が糊または両面テープ等により接着されている。なお、蒸着される金属としてはアルミ、ニッケル、クロム等が用いられる。
【００１１】
蓋体２の上面には、一段低い凹部が形成されて、その凹部内に、写真からなるシールまたはキャラクター等を印刷したシールが糊付けにより貼着されている。シールは交換が可能なように、貼着力がやや弱い糊を用いることが好ましい。なお、シールはオフセット印刷、スクリーン印刷、グラビア印刷、インクジェット印刷、写真ホログラム印刷等により作成される。さらに、シールの上面には、図８のｃ〜ｆに示されるレンズ１１〜１４、図９に示されるレンズ１５のいずれかが貼着される。これらのレンズ１１〜１５も取り替えが可能なように、貼着力がやや弱く、かつ透明な糊を用いる。また、糊の塗布は、外周部分に幅０．５〜１．０ｍｍ程度に塗ることが好ましい。
【００１２】
図８に示されるレンズ１１〜１４は、蓋体２の上面に形成された凹部２ｅに納まる形状に形成されており、厚さや形状が互いに異なる凸レンズである。図９に示されるレンズ１５は上面を多面体を組み合わせたいわゆるダイヤモンドカットの形状にしたものである。また、これらレンズ１１〜１５の材質としては、透明または着色したアクリル樹脂が用いられる。なお、レンズは図示しないが凹レンズを用いることも可能である。
【００１３】
このように構成された携帯電話取付用ミラーは、購入したユーザーにより、ユーザーが所有する携帯電話の裏面等に、本体１の下面の剥離紙を剥がして、押しつけることにより強固に固定される。使用する場合は、蓋体２を開くと、トーションばね６のばね力により１６０度まで開かれるので、その角度の位置、またはそれよりも閉じた１２５度、９０度の角度の位置のいずれかに調節して、本体１および蓋体２の内側の鏡面を使用する。このとき、蓋体２は、本体１に対してクリック動作を伴いながら、角度調整がなされる。鏡面の使用が終了したら、蓋体２を本体１側に押して閉じる。このとき、蓋体２の爪２ｃが本体１の段部１ｃに係合することで、蓋体２の閉じた状態が保持されて、使用していないときに不用意に開くことが防止される。
【００１４】
また、鏡面を使用しないで蓋体２を閉じた状態では、蓋体２の表面に、ユーザーの好みの写真シールやキャラクター等を印刷したシールが貼られて、さらにその上にレンズ１１〜１５が覆われているため、単調な外観の携帯電話を興趣ある外観にするアクセサリーとして機能させることができる。また、蓋体２の表面のシールは交換が可能であるので、交換して、新しいシールに替えることも可能である。また、レンズ１１〜１５についても、交換が可能であるので、形状や色の異なるものに替えることで、シールの見え方に変化をもたせることができる。なお、特に蓋体２の貼着するシールとしてホログラム印刷されたシールを用い、さらにダイヤモンドカット形状のレンズ１５を被せた場合には、シール自体の立体感とレンズ１５の複雑な屈折があいまって興味ある外観が得られる。
【産業上の利用可能性】
【００１５】
本考案は、携帯電話に取り付ける以外に、表紙が硬めの手帳や、タバコケース、外皮が硬い札入れ等にも取り付けて使用することが可能である。
【図面の簡単な説明】
【００１６】
【図１】本考案に係る携帯電話取付用ミラーの閉じられた状態の外観を示す平面図および正面図、右側面図、背面図である。
【図２】同じく図１の底面図である。
【図３】蓋体の開閉範囲を示す側面図である。
【図４】ヒンジ部に装着されるトーションばねの外観図である。
【図５】ヒンジ部に装着される凹金具の外観図である。
【図６】ヒンジ部に装着される凸金具の外観図である。
【図７】本体および蓋体の先端の拡大図である。
【図８】蓋体と各種レンズを示す図である。
【図９】レンズを示す図である。
【符号の説明】
【００１７】
１  本体
１ａ，１ｂ  軸孔部
１ｃ  段部
２  蓋体
２ａ，２ｂ  軸孔部
２ｃ  爪
２ｄ  突端
２ｅ  凹部
３  ヒンジ部
４，５  ピン
６  トーションばね
７  凹金具
７ａ  係止孔
８  凸金具
８ａ  突起
１１〜１５  レンズ
【図１】
0003107752.tif 000003
【図２】
0003107752.tif 000004
【図３】
0003107752.tif 000005
【図４】
0003107752.tif 000006
【図５】
0003107752.tif 000007
【図６】
0003107752.tif 000008
【図７】
0003107752.tif 000009
【図８】
0003107752.tif 000010
【図９】
0003107752.tif 000011